【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
シリコーンヒドロゲルであって、
（ａ）式ＩのＮ−ビニルアミドモノマー、式ＩＩ〜ＩＶのビニルピロリドン、式ＶのＮ−ビニルピペリドンからなる群から選択される、３７〜７０重量％の少なくとも１つの遅反応性モノマーであって、
【化１】
2015507668.tif 000001
式中、Ｒが、Ｈ又はメチルであり、
Ｒ１、Ｒ２、Ｒ３、Ｒ６、Ｒ７、Ｒ１０、及びＲ１１が独立して、Ｈ、ＣＨ３、ＣＨ２ＣＨ３、ＣＨ２ＣＨ２ＣＨ３、Ｃ（ＣＨ３）２からなる群から選択され、
Ｒ４及びＲ８が独立して、ＣＨ２、ＣＨＣＨ３、及びＣ（ＣＨ３）からなる群から選択され、
Ｒ５が、Ｈ、メチル、エチルから選択され、
Ｒ９が、ＣＨ＝ＣＨ２、ＣＣＨ３＝ＣＨ２、及びＣＨ＝ＣＨＣＨ３から選択される、少なくとも１つの遅反応性モノマーと、
（ｂ）式ＶＩＩの少なくとも１つのモノ（メタ）アクリルオキシアルキルポリジアルキルシロキサンモノマー、又は式ＶＩＩＩのスチリルポリジアルキルシロキサンモノマーであって、
【化２】
2015507668.tif 000002
式中、Ｒ１２が、Ｈ又はメチルであり、
Ｘが、Ｏ又はＮＲ１６であり、
各Ｒ１４が独立して、フッ素で置換され得るＣ１〜Ｃ４アルキル、又はフェニルであり、
Ｒ１５が、Ｃ１〜Ｃ４アルキルであり、
Ｒ１３が、エーテル基、ヒドロキシル基、カルバメート基、及びこれらの組み合わせからなる群から選択される基で更に官能基化され得る二価アルキル基であり、
ａが３〜５０であり、
Ｒ１６が、Ｈ、１つ又は２つ以上のヒドロキシル基で更に置換され得るＣ１〜４から選択される、式ＶＩＩの少なくとも１つのモノ（メタ）アクリルオキシアルキルポリジアルキルシロキサンモノマー、又は式ＶＩＩＩのスチリルポリジアルキルシロキサンモノマーと、
（ｃ）式ＩＸの少なくとも１つのヒドロキシアルキル（メタ）アクリレート若しくは（メタ）アクリルアミドモノマー、又は式Ｘのスチリル化合物であって、
【化３】
2015507668.tif 000003
式中、Ｒ１が、Ｈ又はメチルであり、
ＸがＯ又はＮＲ１６であり、Ｒ１６がＨ、又は少なくとも１つのＯＨで更に置換され得るＣ１〜Ｃ４アルキルであり、
Ｒ１７が、Ｃ２〜Ｃ４モノ若しくはジヒドロキシ置換アルキル、及び１〜１０個の反復単位を有するポリ（エチレングリコール）から選択され、前記少なくとも１つのヒドロキシアルキル（メタ）アクリレート若しくは（メタ）アクリルアミドモノマー及び前記遅反応性モノマーが、０．１５〜０．４のモル比を形成するモルパーセントで存在する、式ＩＸの少なくとも１つのヒドロキシアルキル（メタ）アクリレート若しくは（メタ）アクリルアミドモノマー、又は式Ｘのスチリル化合物と、
（ｄ）少なくとも１つの架橋モノマーと、を含む、反応混合物から形成される、シリコーンヒドロゲル。
【請求項２】
請求項１に記載のシリコーンヒドロゲルであって、
（ａ）式ＩのＮ−ビニルアミドモノマー、式ＩＩ又はＩＶのビニルピロリドンからなる群から選択される、３９〜７０重量％の少なくとも１つの遅反応性モノマーであって、
【化４】
2015507668.tif 000004
式中、Ｒが、Ｈ又はメチルであり、
Ｒ１、Ｒ２、Ｒ３、Ｒ１０、及びＲ１１が独立して、Ｈ、ＣＨ３、ＣＨ２ＣＨ３、ＣＨ２ＣＨ２ＣＨ３、Ｃ（ＣＨ３）２からなる群から選択され、
Ｒ４が、ＣＨ２、ＣＨＣＨ３、及びＣ（ＣＨ３）からなる群から選択され、
Ｒ５が、Ｈ、メチル、エチルから選択され、
Ｒ９が、ＣＨ＝ＣＨ２、ＣＣＨ３＝ＣＨ２、及びＣＨ＝ＣＨＣＨ３から選択される、少なくとも１つの遅反応性モノマーと、
（ｂ）式ＶＩＩの少なくとも１つのモノ（メタ）アクリルオキシアルキルポリジアルキルシロキサンモノマーであって、
【化５】
2015507668.tif 000005
式中、Ｒ１２が、Ｈ又はメチルであり、
Ｘが、Ｏ又はＮＲ１６であり、
各Ｒ１４が独立して、フッ素で置換され得るＣ１〜Ｃ４アルキル、又はフェニルであり、
Ｒ１５が、Ｃ１〜Ｃ４アルキルであり、
Ｒ１３が、エーテル基、ヒドロキシル基、カルバメート基、及びこれらの組み合わせからなる群から選択される基で更に官能基化され得る二価アルキル基であり、
ａが３〜５０であり、
Ｒ１６が、Ｈ、１つ又は２つ以上のヒドロキシル基で更に置換され得るＣ１〜４から選択される、式ＶＩＩの少なくとも１つのモノ（メタ）アクリルオキシアルキルポリジアルキルシロキサンモノマーと、
（ｃ）式ＩＸの少なくとも１つのヒドロキシアルキル（メタ）アクリレート又は（メタ）アクリルアミドモノマーであって、
【化６】
2015507668.tif 000006
式中、Ｒ１が、Ｈ又はメチルであり、
Ｘが、Ｏ又はＮＲ１６であり、Ｒ１６が、Ｈ、又は少なくとも１つのＯＨで更に置換され得るＣ１〜Ｃ４アルキルであり、
Ｒ１７が、Ｃ２〜Ｃ４モノ若しくはジヒドロキシ置換アルキル、及び１〜１０個の反復単位を有するポリ（エチレングリコール）から選択され、前記少なくとも１つのヒドロキシアルキル（メタ）アクリレート若しくは（メタ）アクリルアミドモノマー及び前記遅反応性モノマーが、０．１５〜０．４のモル比を形成するモルパーセントで存在する、式ＩＸの少なくとも１つのヒドロキシアルキル（メタ）アクリレート又は（メタ）アクリルアミドモノマーと、
（ｄ）少なくとも１つの架橋モノマーと、を含む、反応混合物から形成される、シリコーンヒドロゲル。
【請求項３】
各Ｒ３が独立して、エチル基及びメチル基から選択され、任意で、
全てのＲ３がメチルである、請求項１又は２に記載のシリコーンヒドロゲル。
【請求項４】
Ｒ１３が、エーテル、ヒドロキシル、及びこれらの組み合わせで置換され得るＣ１〜Ｃ６アルキレン基からなる群から選択され、任意で、
Ｒ１３が、エーテル、ヒドロキシル、及びこれらの組み合わせで置換され得るＣ１又はＣ３〜Ｃ６アルキレン基からなる群から選択される、請求項１〜３のいずれか一項に記載のシリコーンヒドロゲル。
【請求項５】
Ｒ１６が、Ｈ又はメチルである、請求項１〜４のいずれか一項に記載のシリコーンヒドロゲル。
【請求項６】
Ｒ１２及び各Ｒ１４がメチルである、請求項１〜５のいずれか一項に記載のシリコーンヒドロゲル。
【請求項７】
少なくとも１つのＲ１４が、３，３，３−トリフルオロプロピルである、請求項１〜５のいずれか一項に記載のシリコーンヒドロゲル。
【請求項８】
Ｒ４が、メチル又は２−ヒドロキシエチルである、請求項１〜７のいずれか一項に記載のシリコーンヒドロゲル。
【請求項９】
ａが５〜１５である、請求項１〜８のいずれか一項に記載のシリコーンヒドロゲル。
【請求項１０】
前記遅反応性親水性モノマーが、前記式ＩＩ若しくはＩＶのビニルピロリドン、又は前記式ＩのＮ−ビニルアミドモノマーから選択され、Ｒ１及びＲ２中に４以下の炭素原子の総数を有する、請求項１〜９のいずれか一項に記載のシリコーンヒドロゲル。
【請求項１１】
前記遅反応性親水性モノマーが、式ＩＩＩ又はＩＶのビニルピロリドンから選択され、Ｒ６がメチルであり、Ｒ７が水素であり、Ｒ９がＣＨ＝ＣＨ２であり、Ｒ１０及びＲ１１がＨである、請求項１〜１０のいずれか一項に記載のシリコーンヒドロゲル。
【請求項１２】
前記遅反応性親水性モノマーが、エチレングリコールビニルエーテル（ＥＧＶＥ）、ジ（エチレングリコール）ビニルエーテル（ＤＥＧＶＥ）、Ｎ−ビニルピロリドン（ＮＶＰ）、１−メチル−３−メチレン−２−ピロリドン、１−メチル−５−メチレン−２−ピロリドン、５−メチル−３−メチレン−２−ピロリドン、１−エチル−５−メチレン−２−ピロリドン、Ｎ−メチル−３−メチレン−２−ピロリドン、５−エチル−３−メチレン−２−ピロリドン、１−ｎ−プロピル−３−メチレン−２−ピロリドン、１−ｎ−プロピル−５−メチレン−２−ピロリドン、１−イソプロピル−３−メチレン−２−ピロリドン、１−イソプロピル−５−メチレン−２−ピロリドン、Ｎ−ビニル−Ｎ−メチルアセトアミド（ＶＭＡ）、Ｎ−ビニル−Ｎ−エチルアセトアミド、Ｎ−ビニル−Ｎ−エチルホルムアミド、Ｎ−ビニルホルムアミド、Ｎ−ビニルアセトアミド、Ｎ−ビニルイソプロピルアミド、アリルアルコール、Ｎ−ビニルカプロラクタム、Ｎ−２−ヒドロキシエチルビニルカルバメート、Ｎ−カルボキシ−β−アラニンＮ−ビニルエステル、Ｎ−カルボキシビニル−β−アラニン（ＶＩＮＡＬ）、Ｎ−カルボキシビニル−α−アラニン、及びこれらの混合物から選択され、任意で、
前記遅反応性親水性モノマーが、Ｎ−ビニルピロリドン、Ｎ−ビニルアセトアミド、１−メチル−３−メチレン−２−ピロリドン、１−メチル−５−メチレン−２−ピロリドン、５−メチル−３−メチレン−２−ピロリドン、及びこれらの混合物からなる群から選択され、任意で、
前記遅反応性親水性モノマーが、ＮＶＰ、ＶＭＡ、及び１−メチル−５−メチレン−２−ピロリドンからなる群から選択され、任意で、
前記遅反応性親水性モノマーがＮＶＰを含む、請求項１、２、４〜７、又は９のいずれか一項に記載のシリコーンヒドロゲル。
【請求項１３】
Ｒ１が、Ｈ又はメチルであり、Ｘが酸素であり、Ｒが、Ｃ２〜Ｃ４モノ又はジヒドロキシ置換アルキル、及び１〜１０個の反復単位を有するポリ（エチレングリコール）から選択されるか、または、
Ｒ１がメチルであり、Ｘが酸素であり、Ｒが、Ｃ２〜Ｃ４モノ又はジヒドロキシ置換アルキル、及び２〜２０個の反復単位を有するポリ（エチレングリコール）から選択される、請求項１〜１２のいずれか一項に記載のシリコーンヒドロゲル。
【請求項１４】
ａが７〜３０である、請求項１〜８又は１０〜１３のいずれか一項に記載のシリコーンヒドロゲル。
【請求項１５】
Ｒ１６が、Ｈ又はメチルである、請求項１〜１４のいずれか一項に記載のシリコーンヒドロゲル。
【請求項１６】
前記モノメタクリルオキシアルキルポリジメチルシロキサンメタクリレートが、モノメタクリルオキシプロピル末端モノ−ｎ−ブチル末端ポリジメチルシロキサン、モノメタクリルオキシプロピル末端モノ−ｎ−メチル末端ポリジメチルシロキサン、モノメタクリルオキシプロピル末端モノ−ｎ−ブチル末端ポリジエチルシロキサン、モノメタクリルオキシプロピル末端モノ−ｎ−メチル末端ポリジエチルシロキサン、Ｎ−（２，３−ジヒドロキシプロパン）−Ｎ’−（プロピルテトラ（ジメチルシロキシ）ジメチルブチルシラン）アクリルアミド、α−（２−ヒドロキシ−１−メタクリルオキシプロピルオキシプロピル）−ω−ブチル−オクタメチルペンタシロキサン、及びこれらの混合物からなる群から選択され、任意で、
前記モノメタクリルオキシアルキルポリジメチルシロキサンメタクリレートが、モノメタクリルオキシプロピル末端モノ−ｎ−ブチル末端ポリジメチルシロキサン、モノメタクリルオキシプロピル末端モノ−ｎ−メチル末端ポリジメチルシロキサン、Ｎ−（２，３−ジヒドロキシプロパン）−Ｎ’−（プロピルテトラ（ジメチルシロキシ）ジメチルブチルシラン）アクリルアミドからなる群から選択される、請求項１〜３、８、１０〜１３のいずれか一項に記載のシリコーンヒドロゲル。
【請求項１７】
Ｒ１が、Ｈ又はメチルであり、Ｘが酸素であり、Ｒが、Ｃ２〜Ｃ４モノ又はジヒドロキシ置換アルキル、及び１〜１０個の反復単位を有するポリ（エチレングリコール）から選択される、請求項１〜１６のいずれか一項に記載のシリコーンヒドロゲル。
【請求項１８】
Ｒ１がメチルであり、Ｘが酸素であり、Ｒが、Ｃ２〜Ｃ４モノ又はジヒドロキシ置換アルキル、及び２〜２０個の反復単位を有するポリ（エチレングリコール）から選択される、請求項１〜１６のいずれか一項に記載のシリコーンヒドロゲル。
【請求項１９】
Ｒが、２−ヒドロキシエチル、２，３−ジヒドロキシプロピル、２−ヒドロキシプロピルである、請求項１〜１８のいずれか一項に記載のシリコーンヒドロゲル。
【請求項２０】
前記ヒドロキシアルキルモノマーが、２−ヒドロキシエチル（メタ）アクリレート、３−ヒドロキシプロピル（メタ）アクリレート、２−ヒドロキシプロピル（メタ）アクリレート、１−ヒドロキシプロピル−２−（メタ）アクリレート、２−ヒドロキシ−２−メチル−プロピル（メタ）アクリレート、３−ヒドロキシ−２，２−ジメチル−プロピル（メタ）アクリレート、４−ヒドロキシブチル（メタ）アクリレート、グリセロール（メタ）アクリレート、２−ヒドロキシエチル（メタ）アクリルアミド、ポリエチレングリコールモノメタクリレート、ビス−（２−ヒドロキシエチル）（メタ）アクリルアミド、２，３−ジヒドロキシプロピル（メタ）アクリルアミド、及びこれらの混合物からなる群から選択され、任意で、
前記ヒドロキシアルキルモノマーが、２−ヒドロキシエチルメタクリレート、グリセロールメタクリレート、２−ヒドロキシプロピルメタクリレート、ヒドロキシブチルメタクリレート、３−ヒドロキシ−２，２−ジメチル−プロピルメタクリレート、及びこれらの混合物からなる群から選択され、任意で、
前記ヒドロキシアルキルモノマーが、２−ヒドロキシエチルメタクリレート、３−ヒドロキシ−２，２−ジメチル−プロピルメタクリレート、グリセロールメタクリレート、及びこれらを含む混合物を含む、請求項１〜１６のいずれか一項に記載のシリコーンヒドロゲル。
【請求項２１】
少なくとも６０のＤｋ、任意で少なくとも８０のＤｋを更に含み、Ｄｋは、明細書中の「酸素透過係数（Ｄｋ）」の項目に記載される方法に従って測定される、請求項１〜２０のいずれか一項に記載のシリコーンヒドロゲル。
【請求項２２】
少なくとも５５％の含水率、任意で、少なくとも６０％の含水率を更に含む、請求項１〜２１のいずれか一項に記載のシリコーンヒドロゲル。
【請求項２３】
８０°未満の前進接触角を更に含む、請求項１〜２２のいずれか一項に記載のシリコーンヒドロゲル。
【請求項２４】
５０％未満のヘイズ（％）、任意で、１０％未満のヘイズ（％）を更に含み、ヘイズ（％）は、明細書中の「ヘイズ値の測定」の項目に記載される方法に従って測定される、請求項１〜２３のいずれか一項に記載のシリコーンヒドロゲル。
【請求項２５】
８２７ｋＰａ（１２０ｐｓｉ）未満の弾性率、任意で、６８９ｋＰａ（１００ｐｓｉ）未満の弾性率を更に含み、弾性率は、明細書中の「弾性率」の項目に記載される方法に従って測定される、請求項１〜２４のいずれか一項に記載のシリコーンヒドロゲル。
【請求項２６】
前記ヒドロキシアルキルモノマーが、２，３−ジヒドロキシプロピルメタクリレート（ＧＭＭＡ）を含み、前記反応混合物が、希釈剤としてｔ−アミルアルコールを更に含む、請求項１〜１９又は２１〜２５のいずれか一項に記載のシリコーンヒドロゲル。
【請求項２７】
前記反応混合物が、少なくとも１つの遅反応性架橋剤及び少なくとも１つの速反応性架橋剤を更に含み、任意で、
前記少なくとも１つの遅反応性架橋剤及び少なくとも１つの速反応性架橋剤がそれぞれ、重合性成分１００ｇ当たり０．３〜２．０ミリモルの量で前記反応混合物中に存在し、任意で、
前記少なくとも１つの遅反応性架橋剤及び少なくとも１つの速反応性架橋剤がそれぞれ、０．１〜０．２重量％の量で前記反応混合物中に存在する、請求項１〜１９又は２１〜２５のいずれか一項に記載のシリコーンヒドロゲル。
【請求項２８】
少なくとも１つのヒドロキシル基及び速反応性反応基を含む全ての成分が、０．１６〜０．４のヒドロキシルのシリコンに対するモル比を提供するのに十分な濃度で存在する、請求項１〜２７のいずれか一項に記載のシリコーンヒドロゲル。
【請求項２９】
前記ヒドロキシアルキル（メタ）アクリレート又は（メタ）アクリルアミドモノマーが、０．１３〜０．３５のＨＯ：Ｓｉ比を提供するのに十分な濃度で存在する、請求項１〜２８のいずれか一項に記載のシリコーンヒドロゲル。